(57)【要約】      （修正有）【課題】介護者等の負担を軽減するとともに、高い安全性を確保したストレッチャーを提供する。【解決手段】入浴装置又はベッドの長手側面に長手側面を横付けして使用されるストレッチャーであって、スライドボードと、フレームと、昇降機構とから構成され、フレームは、昇降機構の上部に位置し、上面には短手方向に伸びるレール２１が長手方向に複数備えてあり、スライドボード１０は、フレームに対向する底面にガイド１１を備え、ガイドがレールに沿って摺動することにより平行移動可能であり、昇降機構には、複数の車輪が備えてある。【選択図】図２
0003207582.tif 000002
【実用新案登録請求の範囲】
【請求項１】
入浴装置又はベッドの長手側面に長手側面を横付けして使用されるストレッチャーであって、
スライドボードと、フレームと、昇降機構とから構成され、
前記フレームは、前記昇降機構の上部に位置し、上面には短手方向に伸びるレールが長手方向に複数備えてあり、
前記スライドボードは、前記レールの上を平行移動可能であり、
前記昇降機構には、複数の車輪が備えてあることを特徴とするストレッチャー。
【請求項２】
長手側面に連結具を備え、前記連結具は入浴装置又はベッドと連結するものであることを特徴とする請求項１に記載のストレッチャー。
【請求項３】
前記フレームの短手方向両端部には、サイドガードが起倒自在に設けてあり、前記サイドガードは前記スライドボードの長手側面に隣接して前記スライドボードの短手方向への移動を規制することを特徴とする請求項１又は２に記載のストレッチャー。
【考案の詳細な説明】
【技術分野】
【０００１】
本考案は、病院や介護施設等で使用されるストレッチャーに関する。
【背景技術】
【０００２】
病院や介護施設等では、患者や要介護者をベッドから診察台や浴室等へと搬送するために、ストレッチャーが用いられる。
【考案の概要】
【考案が解決しようとする課題】
【０００３】
ベッドからストレッチャー等へ要介護者等を移動させる際、介護者等が３〜４人で要介護者を抱えて持ち上げ、寝台の上へ移動させて降ろさなければならず、大きな負担の掛かる作業であった。
【０００４】
本考案は、上記事情を鑑みたものであり、介護者等の負担を軽減するとともに、高い安全性を確保したストレッチャーを提供することを目的とする。
【課題を解決するための手段】
【０００５】
本考案のうち請求項１の考案は、入浴装置又はベッドの長手側面に長手側面を横付けして使用されるストレッチャーであって、スライドボードと、フレームと、昇降機構とから構成され、前記フレームは、前記昇降機構の上部に位置し、上面には短手方向に伸びるレールが長手方向に複数備えてあり、前記スライドボードは、前記レールの上を平行移動可能であり、前記昇降機構には、複数の車輪が備えてあることを特徴とする。
【０００６】
また、本考案のストレッチャーは、長手側面に連結具を備え、前記連結具は入浴装置又はベッドと連結させるものであることが望ましい。
【０００７】
さらには、前記フレームの短手方向両端部には、サイドガードが起倒自在に設けてあり、前記サイドガードは前記スライドボードの長手側面に隣接して前記スライドボードの短手方向への移動を規制することが望ましい。
【考案の効果】
【０００８】
本考案によれば、要介護者等を載せるスライドボードは、レールによって短手方向へ平行移動が可能であるため、ベッド又は浴槽へ横付けし、スライドボードをベッド又は浴槽の上へ引き出した状態で、要介護者等を移動させることができるため、介護者の負担が軽減できる。
【０００９】
そして長手方向側面に連結具を設ければ、ベッド又は浴槽に横付けした際に、ベッド又は浴槽と本考案のストレッチャーとを連結させ、固定することができるため、要介護者等をストレッチャーからベッド若しくは浴槽へ、又は、ベッド若しくは浴槽からストレッチャーへ移動させる際の安全性を確保できる。
【００１０】
さらに、スライドボードに隣接するサイドガードを、フレームに起倒自在に設ければ、サイドガードを起こした状態でスライドボードの短手方向への移動を規制し、要介護者等の転落を防止できるため、搬送中の安全性を確保できる。
【図面の簡単な説明】
【００１１】
【図１】ストレッチャーの斜視図である。
【図２】スライドボードの移動を示す説明図である。
【図３】（ａ）（ｂ）はストレッチャー上部の短手方向断面であって、スライドボードの動きを示す説明図である。
【図４】ストレッチャーの側面図である。
【図５】ストレッチャーの正面図である。
【図６】ストレッチャーの使用例を示す模式図である。
【考案を実施するための形態】
【００１２】
以下、本考案の実施の形態を図面に基づいて説明する。本実施形態に係るストレッチャーは、用途は特に限定されないが、主に病院や介護施設等で使用されるストレッチャーであって、要介護者等を搬送し、ベッド又は浴槽の長手側面に長手側面を横付けして使用されるものである。図１に示すように、ストレッチャーは、要介護者等を載せるスライドボード１０と、フレーム２０と、昇降機構３０からなる。昇降機構３０はフレーム２０を支持し、フレーム２０はスライドボード１０を平行移動可能に支持する。
【００１３】
図２は、短手方向へ平行移動させた状態のスライドボード１０とレール２１を平面視して示す。スライドボード１０は、フレーム２０に備えられたレール２１に沿って短手方向へ平行移動が可能なものである。具体的には、スライドボード１０はフレーム２０に対向する底面にガイド１１を備え、フレーム２０の上面には短手方向に伸びるレール２１が備えてある。ガイド１１がレール２１に沿って摺動することにより、スライドボード１０を平行移動させることができる。
【００１４】
図３はスライドボード１０とフレーム２０の短手方向断面を示す。図３（ａ）において、矢印は、ガイド１１及びスライドボード１０の移動方向を示し、破線は、ガイド１１が夫々の方向へ移動させた後のスライドボード１０の端部の位置を示す。また、図３（ｂ）は、スライドボード１０を図３紙面における左側へ移動させた後の状態を示す。このように、スライドボード１０は短手方向へ移動自在であるため、本考案のストレッチャーは、ベッド又は浴槽の長手側面のどちらの側へも横付け可能であり、配置の関係上ベッド又は浴槽の一方の長手側面にしか空間が無い場合にも対応できる。なおガイド１１としては、特に制限はないが、例えばＬＭガイド（ＴＨＫ株式会社の登録商標）を使用することができる。
本実施形態例においては、フレーム２０に備えられるレール２１は、図２に示すように長手方向に並列して３本設けてあり、スライドボード１０に備えられるガイド１１は、図３に示すように一本のレール２１に対して二つ設けてあるが、レール２１の本数とガイド１１の個数に制限はない。
【００１５】
フレーム２０は、昇降機構３０に支持されており、昇降機構３０の動作に伴って上下動するものであって、四方を枠組みし、その内周へ複数のパイプ材が長手方向及び短手方向に掛け渡されて構成してあり、スライドボード１０の長手両側面に隣接するように、転落防止のためのサイドガード４０が起倒自在に備えてある。
【００１６】
サイドガード４０は、起こした状態では、フレーム２０の短手方向両端部に立設している。詳しくは、スライドボード１０の長手側面に複数の切欠１２が設けてあり、その切欠１２に、フレーム２０から立設するサイドガード４０が挿通している。サイドガード４０はスライドボード１０に直接取り付けるのではなく、フレーム２０に取り付けてあるため、スライドボード１０を両側面から挟み込んで固定し、短手方向の移動を規制することができる。そして、サイドガード４０を倒した状態では、スライドボード１０は規制が解除され、平行移動が可能となる。
【００１７】
昇降機構３０は、複数のリンク３１と、基部フレーム３２と、キャスター３３と、連結具３４を備え、図示しない昇降装置によってフレーム２０とスライドボード１０を上下動させるものである。図４に示すように、二つのリンク３１，３１を側面視してＸ字形状に交差させ、その交差部は水平軸を介して回動自在としてある。リンク３１，３１の上部はフレーム２０に取り付けてあり、基部は基部フレーム３２に支持されている。このＸ字形状に組まれたリンク３１，３１は、ストレッチャーの短手方向に二組設置してある。
【００１８】
基部フレーム３２は少なくとも四方を枠組みしてあり、角部には複数のキャスター３３が備えてある。また、基部フレーム３２には、長手両側面に連結具３４が設けてあり、ベッド又は浴槽の長手側面に本考案のストレッチャーの長手側面を横付けした際に、ベッド又は浴槽の長手側面に夫々設けられた被連結具１００ａ，１０１ａと連結させることができる。本実施形態例においては、連結具３４は片側に二つずつ設けてあるが、設置する個数に制限はない。また、キャスター３３は、図示しないロック装置を備えるものであることが望ましい。
【００１９】
次に、本考案のストレッチャーの使用方法について説明する。図６は、本考案のストレッチャーをベッド１００及び浴槽１０１の長手側面に横付けして使用する例を示しており、正面視した模式図であって、ベッド１００及び浴槽１０１については要部のみを示している。
要介護者をベッド１００から本考案のストレッチャーへ移動させる際は、まず、片側のサイドガード４０を倒し、ベッド１００の長手側面にストレッチャーを横付けし、スライドボード１０がベッド１００の上面よりもやや上方に位置するよう、昇降機構３０によって高さを調整する。
【００２０】
そして、ストレッチャーをベッド１００にさらに接近させ、ストレッチャーの連結具３４をベッド１００の被連結具１００ａに連結させ、キャスター３３を付属のロック装置によってロックする。キャスター３３のロックと、連結具３４による固定により、ストレッチャーは安定するため、安全性が確保できる。
【００２１】
ストレッチャーを固定させた後、スライドボード１０の規制を解除する。スライドボード１０をベッド１００側へ平行移動させ、ベッド１００の上部へ位置させる。
【００２２】
その後、介護者等が要介護者をスライドボード１０からベッド１００へ載せ替える。この作業は、ストレッチャーを単にベッド１００に横付けして行うよりも、要介護者を移動させる距離が短くなり、また、要介護者等を上方へ持ち上げる必要はなくスライドボード１０に沿って平行移動させることができるため、介護者等にとって負担が小さい。
【００２３】
要介護者等をスライドボード１０上へ載せた後、スライドボード１０を初期の位置に戻し、連結具３４と被連結具１００ａとの連結を解除するとともに、キャスター３３のロックを解除し、サイドガード４０を起こす。
【００２４】
次に、要介護者をストレッチャーから浴槽１０１へ移動させる際の手順について説明する。浴槽１０１は限定されないが、体の不自由な人が仰臥位で入浴できるよう、上部に入浴者が横たわることのできる浴槽プレート１０１ｂを備えるものであって、浴槽プレート１０１ｂを浴槽内へ下降させて使用するものであることが望ましい。
【００２５】
ストレッチャーに載せた要介護者を浴室内の浴槽１０１へ移動させ、片側のサイドガード４０を倒し、浴槽１０１とへ横付けし、連結具３４を浴槽１０１の被連結具１０１ａに連結させてストレッチャーを固定した後、キャスター３３をロックする。浴室内は滑りやすく、ストレッチャーが通常備えるキャスター３３のロックだけでは安全性が十分ではないため、連結具３４によって浴槽１０１にストレッチャーを固定することで安全性を高めることができる。
スライドボード１０を平行移動させて浴槽１０１の縁の上部、さらには浴槽プレート１０１ｂ上へ位置させた後、要介護者等をスライドボード１０から浴槽プレート１０１ｂへ移動させる。
【００２６】
本考案は、上記の実施形態に限定されず、本考案の要旨を逸脱しない範囲で適宜変更可能である。
【符号の説明】
【００２７】
１０      スライドボード
１１      ガイド
１２      切欠
２０      フレーム
２１      レール
３０      昇降機構
３１      リンク
３２      基部フレーム
３３      キャスター
３４      連結具
４０      サイドガード
１００    ベッド
１００ａ  被連結具（ベッド）
１０１    浴槽
１０１ａ  被連結具（浴槽）
１０１ｂ  浴槽プレート
【図１】
0003207582.tif 000003
【図２】
0003207582.tif 000004
【図３】
0003207582.tif 000005
【図４】
0003207582.tif 000006
【図５】
0003207582.tif 000007
【図６】
0003207582.tif 000008